(57)【要約】【課題】転倒しやすい商品に対して、搬送時には転倒させずに搬送し、振分時には商品を適切に振り分けることができる振分装置を提供する。【解決手段】商品の搬送路に沿って配置される第一姿勢と、搬送路を斜めに横断して配置される第二姿勢とに切り替え可能な振分アームを備え、振分アームは、第一姿勢において商品と当接することで商品を搬送方向に案内するガイド面と、第二姿勢において商品と当接することで商品を搬送路から排除する方向に振り分ける振分面とを含むように構成されている。【選択図】図２
2019137478.tif 000002
【特許請求の範囲】
【請求項１】
商品の搬送路に沿って配置される第一姿勢と、前記搬送路を斜めに横断して配置される第二姿勢とに切り替え可能な振分アームを備え、
前記振分アームは、前記第一姿勢において前記商品と当接することで前記商品を搬送方向に案内するガイド面と、前記第二姿勢において前記商品と当接することで前記商品を前記搬送路から排除する方向に振り分ける振分面とを含む、振分装置。
【請求項２】
前記ガイド面における搬送方向に直交する方向の幅は、前記振分面における搬送方向に直交する方向の幅よりも狭く構成されている、請求項１に記載の振分装置。
【請求項３】
前記振分アームは、少なくとも前記第一姿勢において前記ガイド面を形成するガイドプレートと、前記ガイドプレートが取り付けられる支持部材とを含む、請求項２に記載の振分装置。
【請求項４】
前記振分アームは、前記搬送路の両側に、各々対となるよう少なくとも１つずつ配置されるとともに、対となる一方の振分アームが第一姿勢をとり、他方の振分アームが第二姿勢をとることにより、前記商品を前記搬送路から排除し、
対となる前記振り分けアームの各々は、前記商品を排除する際に少なくとも一部が上下に交差して重なるように構成されている、請求項２に記載の振分装置。
【請求項５】
前記振分アームは、少なくとも前記第一姿勢において前記ガイド面を形成する一対のガイドプレートと、前記ガイドプレートが取り付けられるとともに前記振分面を形成する一対の支持部材とを含み、
一対の前記支持部材は、前記搬送路に対して高さが略等しく、前記搬送路の面と対向する取付面を各々有し、
一対の前記ガイドプレートは、異なる高さで前記支持部材に取り付けられており、前記支持部材から前記搬送路の側に張り出すように、かつ、対となる一方が前記取付面の上面に、他方が前記取付面の下面に取り付けられている、請求項４に記載の振分装置。
【請求項６】
前記振分アームは、正常な前記商品を排出せずに搬送させるとともに、搬送方向から見て左右の面において印刷またはラベルの不良がある前記商品を第一方向に排出し、印刷またはラベルの不良ではない不良が生じた前記商品の少なくとも一部を前記第一方向とは逆側の第二方向に排出するように構成されている、請求項４または請求項５に記載の振分装置。
【請求項７】
前記振分アームは、正常な前記商品を排出せずに搬送させるとともに、異物の混入ではない不良が生じた前記商品を第一方向に排出し、異物が混入した前記商品を前記第一方向とは逆側の第二方向に排出するように構成されている、請求項４または請求項５に記載の振分装置。
【請求項８】
前記搬送路に沿って配置され、前記商品と当接することで前記商品を搬送方向に案内する転倒防止面を含む複数のガイド板をさらに備え、
前記ガイド板は、前記第二姿勢をとる際に前記振分アームが侵入する領域に切り欠き部が設けられている、請求項１〜請求項７の何れか１項に記載の振分装置。
【請求項９】
前記ガイド板の各々が含む前記転倒防止面と、前記振り分けアームが含む前記ガイド面とは、搬送方向に向いた略同一線上に配置されている、請求項８に記載の振分装置。
【発明の詳細な説明】
【技術分野】
【０００１】
本発明は、搬送される商品を振り分ける振分アームを備える振分装置に関する。
【背景技術】
【０００２】
従来、搬送される商品を振り分ける振分アームを備える振分装置が知られている。
【０００３】
検査結果に応じて商品を振り分ける振分ラインには、商品の特性に応じた種々の振分装置が導入される。その代表的なものの一例として、下記特許文献に記載の振分装置が知られている。
【０００４】
特許文献１には、水平方向に回動する振分アームが商品の搬送路を斜めに横断した状態で待機し、そこへ搬送されてきた商品が当ると、商品が振分アームに沿って搬送路の側方へ排出されるように構成された振分装置が記載されている。このような振分装置は、多くの商品加工分野で使用されており、搬送路の両サイドに振分アームの回動中心を配置することによって、正常な商品を搬送方向にそのまま搬送させ、不良の生じた商品を搬送方向と交差する左右方向に振り分ける。
【０００５】
また、特許文献２には、振分アームが商品を両サイドから挟んだ状態で回動して下流の複数の搬送ラインへ振り分けるように構成された振分装置が記載されている。この振分装置は、転倒しやすい商品であっても、商品を転倒させることなく下流の複数の搬送ラインに選択的に振り分けることを課題としていると考えられる。
【０００６】
しかしながら、特許文献１に記載の振分装置では、安定性の悪い商品、たとえば、包装「おにぎり」等を（側面の検査等を行うために）起立姿勢のまま搬送する場合に、商品に転倒が生じてしまう。ここで、仮に、転倒防止用のガイド板を搬送路に沿って配置しても、回動する振分アームとガイド板とが干渉するため、この種の振分装置では、転倒しやすい商品は、振り分けられないという不都合がある。
【０００７】
また、特許文献２に記載の振分装置では、振分アームが回動する際に、振分アームの向く方向が必ずしも搬送方向に沿っておらず、商品が振分アームに到達するタイミングによっては、搬送方向に向いた力を（搬送路を介して）底面に受けた商品が転倒して（少なくとも修正不可能な傾きが生じて）しまう。その結果、下流において商品の詰まりが生じてしまう不都合があると考えられる。なお、この振分装置により不良品を正常な搬送ラインから排除しようとすると、下流の複数の搬送ラインの一部を不良排出ラインにせざるを得ない。したがって、特許文献１に記載の振分装置と比較して、装置全体の搬送方向が長く（振り分け装置を代替して）既設の振分ラインに組み込むことが困難であるという不都合もある。
【先行技術文献】
【特許文献】
【０００８】
【特許文献１】特開２００８−００１５１３号公報
【特許文献２】特開２００８−１０５８３３号公報
【発明の概要】
【発明が解決しようとする課題】
【０００９】
本発明は、上記のような課題を解決するためになされたものであり、この発明の１つの目的は、転倒しやすい商品に対して、搬送時には転倒させずに搬送し、振分時には商品を適切に振り分けることができる振分装置を提供することである。
【課題を解決するための手段】
【００１０】
上記目的を達成するために、この発明の一の局面における振分装置は、商品の搬送路に沿って配置される第一姿勢と、搬送路を斜めに横断して配置される第二姿勢とに切り替え可能な振分アームを備え、振分アームは、第一姿勢において商品と当接することで商品を搬送方向に案内するガイド面と、第二姿勢において商品と当接することで商品を搬送路から排除する方向に振り分ける振分面とを含む。
【００１１】
この発明の第１の局面による振分測装置では、上記のように、振分アームを、（商品の搬送路に沿って配置される）第一姿勢において商品と当接することで商品を搬送方向に案内するガイド面と、第二姿勢において商品と当接することで商品を搬送路から排除する方向に振り分ける振分面とを含むように構成する。これにより、第一姿勢をとる振分アームのガイド面が搬送される商品と接しながら商品を支えて搬送方向に搬送するので、転倒しやすい軽い商品であっても、転倒させることなく下流側へ搬送することができる。すなわち、第一姿勢をとる場合、振分アームは、商品の転倒を防止するガイドの役割を担う。また、第二姿勢をとる場合、振分アームは、商品を搬送路から適切に排除することができる。その結果、転倒しやすい商品に対して、搬送時には転倒させずに搬送し、振分時には商品を適切に振り分けることができる。また、転倒による商品の損傷や、転倒時の振動に起因した振動が（別途設置された）計量コンベアに伝搬して計量精度が悪化することを抑制することができる。また、振分アームの第一姿勢は商品の搬送路に沿って配置されている。これにより、商品を搬送方向に連続的に案内することができるとともに、商品の搬送方向とガイド面の案内する方向との不一致が生じず、搬送路から移動方向と異なる向きの力を受けた商品が転倒する（修正不可能な傾きを生じる）ことを防止することができる。
【００１２】
上記一の局面による振分装置において、好ましくは、ガイド面における搬送方向に直交する方向の幅は、振分面における搬送方向に直交する方向の幅よりも狭く構成されている。このように構成すれば、商品を搬送する場合に（第一姿勢において）、商品に接触するガイド面の面積が比較的が小さくなるので、振分アームと商品との摩擦による滞りや、商品との接触に起因し印字等に生じるすれを低減することができる。また、商品を振り分ける場合に（第二姿勢において）、商品に接触する振分面の面積が比較的大きくなるので、商品に転倒が生じ、商品の振分面とする部分の大きさが小さく（低く）なったとしても、振分アームは、十分に商品をとらえて排除することができる。
【００１３】
上記ガイド面における搬送方向に直交する方向の幅が振分面における搬送方向に直交する方向の幅よりも狭い振分装置において、好ましくは、振分アームは、少なくとも第一姿勢においてガイド面を形成するガイドプレートと、ガイドプレートが取り付けられる支持部材とを含む。このように構成すれば、搬送方向に直行する方向において、振分面の幅よりも小さい幅のガイド面を、ガイドプレート３１により容易に形成することができる。その結果、商品の大きさ（搬送面からの高さ）に合わせて適切な形状および大きさ（搬送面に垂直な方向の幅、および、支持部材から搬送される商品の側に延ばされた長さ）のガイドプレートを取り付けることにより、商品の転倒を防止ことができる。
【００１４】
上記一の局面による振分装置において、好ましくは、振分アームは、搬送路の両側に、各々対となるように少なくとも１つずつ配置されるとともに、対となる一方の振分アームが第一姿勢をとり、他方の振分アームが第二姿勢をとることにより、商品を搬送路から排除し、対となる振り分けアームの各々は、商品を排除する際に少なくとも一部が上下に交差して重なるように構成されている。ここで、上下に交差して重なるとは、たとえば、振分アームを、天地を逆にしたＬ字状の部材で構成したときに、向かい合う互いの水平な上面の部分が上下（搬送面に直行する方向）に重なることをいう。このように構成すれば、第二姿勢をとる鉛直に延びる振分面（天地逆Ｌ字状部材の縦線にあたる部分）の先端部分（回動の支点と反対側の端部）を、第一姿勢をとる他方の振分アームの搬送方向側端部、すなわち商品と接してそれを搬送方向に案内するガイド面に可及的に近接させることができる。これにより、対となる近接した２つの振分アームの間に生じる隙間を小さくすることができるので、搬送される商品を、第一姿勢の（一方の）振分アームから第二姿勢の（他方の）振分アームにスムーズに引き継がせて排出することができる。その結果、商品に包装の綻び（めくれ等）やラベルの貼付ミス（糊面の露出等）等があっても振り分けアームとの引っ掛かりが生じにくくなるので、搬送されてきた商品を停滞させずに振り分ける（排出する）ことができる。
【００１５】
この場合、好ましくは、振分アームは、少なくとも第一姿勢においてガイド面を形成する一対のガイドプレートと、ガイドプレートが取り付けられるとともに振分面を形成する一対の支持部材とを含み、一対の支持部材は、搬送路に対して高さが略等しく、搬送路の面と対向する取付面を各々有し、一対のガイドプレートは、異なる高さで支持部材に取り付けられており、支持部材から搬送路の側に張り出すように、かつ、対となる一方が取付面の上面に、他方が取付面の下面に取り付けられている。このように構成すれば、一対のガイドプレートの取付を一対の支持部材が各々有する取付面のそれぞれ上面と下面とに行うことにより、一対のガイドプレートの各々の位置（高さ）を取付面の上側と下側とで容易に異ならせることができる。その結果、ガイドプレート（振分アーム）を、商品を排除する際に少なくとも一部が上下に交差して重なるように構成することが容易にできる。また、ガイドプレートの形成するガイド面の高さが取付面の有する厚み分程度しか異ならないので、ガイド面が商品とそれぞれ当接（ガイド）する位置（高さ）が略同一になる。そのため、当接する位置の違いに起因して搬送方向を軸として回転する方向に商品が転倒することを抑制することができる。
【００１６】
上記振分アームが搬送路の両側に各々対となるように少なくとも１つずつ配置される振分装置において、好ましくは、振分アームは、正常な商品を排出せずに搬送させるとともに、搬送方向から見て左右の面において印刷またはラベルの不良がある商品を第一方向に排出し、印刷またはラベルの不良ではない不良が生じた商品の少なくとも一部を第一方向とは逆側の第二方向に排出するように構成されている。このように構成すれば、商品の中身（内容物）そのものには問題のない印刷またはラベルの不良がある商品と、印刷またはラベルの不良ではない不良が生じた商品とを別方向に振り分けて管理することができる。なお、本発明による振分装置では、（第一姿勢において）商品を倒さずに搬送することができるので、立位の状態において側面（搬送方向から見て左右の面）の部分に対して画像撮像検査等を受け、不良がなかった商品をそのまま立位の（起立した）状態で搬送する振り分ける際に特に好適である。
【００１７】
上記振分アームが搬送路の両側に各々対となるように少なくとも１つずつ配置される振分装置において、好ましくは、振分アームは、正常な商品を排出せずに搬送させるとともに、異物の混入ではない不良が生じた商品を第一方向に排出し、異物が混入した商品を第一方向とは逆側の第二方向に排出するように構成されている。このように構成すれば、消費者に誤って配送されることを特に防止する必要がある異物が混入した商品と、異物の混入ではない不良が生じた商品とを別方向に振り分けて管理することができる。
【００１８】
上記一の局面による振分装置において、好ましくは、搬送路に沿って配置され、商品が転倒しないように接して支える複数のガイド板をさらに備え、ガイド板は、第二姿勢をとる際に水平方向に回動する振分アームが侵入する領域に切り欠き部が設けられている。このように構成すれば、商品を搬送路に沿って搬送する（振分アームが第一姿勢をとる）場合、搬送路に配置されたガイド板と、第一姿勢の振分アームとにより、商品の転倒を防止するガード（商品と接しながら支える壁となる部分）を搬送方向に沿って連続的に設けることができる。その結果、転倒しやすい商品であっても転倒させることなく下流側へ搬送することができる。また、商品を搬送路から振り分け排除する（振分アームが第二姿勢をとる）場合、搬送時には転倒を防止していた振分アームが、ガイド板の切り欠き部に侵入し、搬送路側面のガードを開放するとともに、振分アームの振分面によりガード壁の無くなった搬送路側面から商品を排除することができる。また、切り欠き部の（搬送面に直行する）上下部分により当接して商品を搬送方向に案内することができるので、上方もしくは下方のみで商品を案内する場合と比較して、振分アームを通過する際に傾きが生じた商品を立たせ（正しく起立させ）直すことができる。
【００１９】
この場合、好ましくは、ガイド板の各々が含む転倒防止面と、振り分けアームが含むガイド面とは、搬送方向に向いた略同一線上に配置されている。これにより、ガイド面と転倒防止面とに商品がまたがる際（商品の接する対象が移り変わる際）に、商品に引っ掛かり搬送を滞らせる突出部分や、商品の転倒の原因となる隙間（搬送路の幅の方向の空間）の増加が不必要に生じることを抑制することができる。その結果、搬送される商品に厚さの変化や包装フイルムの綻び、膨らみ、或いは貼付されたラベルの部分的な飛び出し等がある場合でも、商品を、転倒させることなく下流側へスムーズに搬送することができる。
【発明の効果】
【００２０】
本発明によれば、上記のように、転倒しやすい商品に対して、搬送時には転倒させずに搬送し、振分時には商品を適切に振り分けることができる。
【図面の簡単な説明】
【００２１】
【図１】本発明の一実施形態に係る振分装置の外観斜視図。
【図２】上記実施形態の振分装置の平面図。
【図３】図１の振分装置の振分アームが第二姿勢を採った状態の外観斜視図。
【図４】図３の実施形態に係る振分装置の平面図。
【発明を実施するための形態】
【００２２】
以下、図１〜図４を参照しながら、本発明の一実施形態を説明する。なお、この実施形態は、本発明の技術的範囲を限定するものではない。また、この実施形態では、転倒しやすい商品の一例として包装された「おにぎり」を例示しているが、これに限定されるものではなく、たとえばスタンドパウチのように、搬送時や乗り継ぎ時に転倒しやすい自立型の包装商品等であっても良い。
【００２３】
［本実施形態の構成］
以下、図１〜図４を参照して、本発明の実施形態について説明する。
【００２４】
振分装置１は、中央のベルトコンベア２と、その両側（サイド）に配置された一対の振分アーム３と、商品Ｍの転倒を防止する左右のガイド板４と、ベルトコンベア２の両サイドに配置されベルトコンベヤ２から排除される商品Ｍを滑落させる傾斜板５と、これらを支持する装置フレームとを備えている。
【００２５】
ベルトコンベア２は、駆動ローラ２１と従動ローラ２２との間に架け渡されたエンドレスベルト２０を駆動ローラ２１の回転で走行させるようにしたものである。具体的には、ベルトコンベア２の支持フレーム２３は、左右の支持プレート２４を介して装置本体５０に支持され、駆動ローラ２１を回転させる図示しないモータは、装置本体５０内に収納されて、その回転軸に設けられたプーリと、駆動ローラ２１のプーリとの間にタイミングベルト２５が架け渡されて、駆動ローラ２１が矢印Ｄの方向に回転するようになっている。したがって、商品Ｍを搬送するベルト２０が商品Ｍの搬送路Ｒとなる
【００２６】
ここで、振分装置１の備える振分アームは、商品Ｍの搬送路に沿って配置される第一姿勢と、前記搬送路を斜めに横断して配置される第二姿勢とに切り替え可能に構成されている。また、振分アーム３は、搬送路Ｒの両側に対となるように１つずつ設けられている。また、振分アーム３は、第一姿勢において商品Ｍと当接することで商品Ｍを搬送方向に案内するガイド面３１０と、第二姿勢において商品Ｍと当接することで商品Ｍを前記搬送路から排除する方向に振り分ける振分面３００とを含む。
【００２７】
具体的には、振分アーム３に取り付けられたガイドプレート３１のガイド面３１０が物品の転倒を防ぐガイドとして作用するようになっている。また、ガイドプレート３１のガイド面３１０と、ガイド板４２、４２と略同一線上のガード壁として機能するようになっている
【００２８】
また、一対の振分アーム３の各々は、支持部材３０とガイドプレート３１とを含んでいる。一対の支持部材３０の各々は、ガイドプレート３１が取り付けられている。一対のガイドプレート３１の各々は、第二姿勢においてガイド面３１０を形成する。
【００２９】
また、ガイド面３１０の搬送面Ｒに直行する方向の幅は、振分面３００の搬送面Ｒに直行する方向の幅よりも狭く構成されている。
【００３０】
また、振分アーム３は、対となる一方の振分アーム３が第一姿勢をとり、他方の振分アーム３が第二姿勢をとることにより、商品Ｍを搬送路から排除し、対となる振り分けアーム３の各々は、商品Ｍを排除する際に少なくとも一部が上下に交差して重なるように構成されている。
【００３１】
また、振分アーム３は、第一姿勢においてガイド面３１０を形成する一対のガイドプレート３１と、ガイドプレート３１が取り付けられるとともに振分面を形成する一対の支持部材３０とを含む。また、一対の支持部材３０は、搬送路Ｒに対して高さが略等しく、搬送路Ｒの面と対向する取付面３０１を各々有している。また、一対のガイドプレート３１は、異なる高さで支持部材３０に取り付けられており、支持部材３０から搬送路Ｒの側に張り出すように、かつ、対となる一方（図２の右側）が取付面３０１の上面に、他方（図２の左側）が取付面３０１の下面に取り付けられている。
【００３２】
また、左右（一対）の支持部材３０の各々は、横断面がコの字形の板金で形成されている。また、左右（一対）のガイドプレート３１の各々は、支持部材３０の取付面３０１（コの字形の板金の上面）に取り付けられている。そのため、左右（一対）のガイドプレート３１は、板金の厚み分だけ離れた状態で、一方が第２姿勢をとる際に、上下（搬送方向に直交する方向）に重なるように構成されている。したがって、上下のガイドプレート３１間には、板金の厚み分だけのクリアランスを有したほぼ同一の高さに配置される。また、左右（一対）のガイドプレート３１は、商品Ｍの転倒（傾き）を抑制するために、商品Ｍの重心位置よりも高い位置に配置されている。
【００３３】
また、一対の振分アーム３が、搬送路Ｒを挟み向かい合わせに配置されいてる。また、振分アーム３は、図２の矢印方向Ｆ（各々Ｆ１およびＦ２）に水平に回動させる図示しない駆動機構とガイドアーム３（支持部材３０）の含む回転軸３２を介して連結されている。連結された駆動機構が駆動されると、回転軸３２が水平方向に回動され、図２のような搬送路Ｒに沿って商品Ｍを通過させる第一姿勢から、図４のような商品Ｍを左右方向（図４では右方向である排出方向Ｅ）に振り分ける第二姿勢に、振り分けアーム３の姿勢が切り替えられる（回動される）。この第二姿勢は、振分アーム３を搬送路Ｒに対し、斜めに横断させた姿勢であって、これにより、振分アーム３（支持部材３０）の振分面３００は、搬送方向Ｔに搬送され振り分け面３００に衝突した商品Ｍを斜め側方の排出方向Ｅ（図４参照）へ排除する。ただし、一方の振分アーム３が第二姿勢のときは、他方の振分アーム３は、第一姿勢をとるように、図示しない振分装置１のコントローラによって駆動制御される。
【００３４】
ここで、使用する駆動機構としては、たとえば、電動モータやロータリーソレノイド、エアーシリンダとクランクを組合せて直線運動を回転運動に変換する機構等から適宜なものを使用することができる。ここでは、図示しない減速機構付の電動モータを使用し、その回転軸を振分アーム３（支持部材３０）の回転軸３２に連結して、第一姿勢から第二姿勢へ、第二姿勢から第一姿勢へ切り替える。なお、これらの駆動機構は、装置本体５０に隣接するボックス５１内に収納されている。
【００３５】
駆動機構を制御する振り分け装置１のコントローラは、ボックス５１内に納められ、上流側装置（上流に存在する検査装置、後述）から振分指令（信号）を受け取ると、指示された方向の振分アーム３を第一姿勢から第二姿勢へ、振分完了後は、逆方向へと切り替えるように制御する。ただし、一方の振分アーム３を第二姿勢に切り替えたときは、他方の振分アーム３は、第一姿勢に保持されるようになっている。そして、振り分け対象となる商品Ｍが上流側装置（コンベア）からベルトコンベア２に乗り移るタイミングでは、指定された振分アーム３は、第二姿勢に切り替わるように制御される。続いて商品Ｍが図４の第二姿勢の振分アーム３に衝突すると、商品Ｍは、走行するベルト２０に押されて、矢印で示す方向に斜めに排除されていく。なお、搬送路Ｒから排除された商品Ｍは、傾斜板５を滑走して図示しない回収箱に回収される。また、振り分けが指示されていない商品Ｍの場合は、コントローラは、各振分アーム３を第一姿勢に保持したままでそれを通過させる。
【００３６】
図２に示すように、振分アーム３に取り付けたガイドプレート３１を搬送路側に張り出させたガイド面３１０により、搬送路Ｒを移動する商品Ｍを左右方向から支持して転倒させないガイド板として作用させている。これにより、振分アーム３が第一姿勢をとるときは、ガイド板４１、４２が欠落している領域（後述）において、ガイドプレート３１が商品Ｍの転倒を防止するガード壁となる。
【００３７】
また、商品Ｍを搬送路Ｒから排除するときは、商品Ｍの転倒を防止していたガイドプレート３１が、図３に示すように、ガイド板４２の切り欠け部４５（後述）に侵入して、搬送路Ｒ側面のガード壁を開放し、第二姿勢の振分アーム３に衝突した商品Ｍは、ガード壁の無くなった搬送路側面から排除される。これにより、（振り分けアーム３０のいずれかが第２姿勢を取り、）商品Ｍを振り分ける際に、商品Ｍが通過する経路を確保するためにガイド板４１、４２によるガイドを一部欠落させながら、（一対の振り分けアーム３０の各々が第一姿勢を取り、）商品Ｍを搬送方向Ｔに通過させる際に、ガイドプレート３１の張り出し部分の縁部であるガイド面３１０が当接して商品Ｍが転倒しないように支える。
【００３８】
そのため、ガイドプレート３１は、図２に示すように、ガイドプレート３１のガイド面３１０の上流側約３／５の縁部が、斜めにカットされたカット部分３１１が設けられ、商品Ｍがスムーズに左右のガイドプレート３１間に送り込まれるようになっている。すなわち、カット部分３１１は、第一姿勢において、ガイド面３１０を構成するとともに、搬送方向Ｔから見て左右方向に偏って搬送されてくる商品Ｍを左右中心に案内する呼び込みの役割も果たしている。
【００３９】
また、このようにカット部分３１１を設けることで、図４に示すように、第二姿勢をとった振分アーム３の先端部分３０２が、搬送される商品Ｍと接触しない位置（一対のガイド板４１の下流側端点を搬送方向に延長した２本の直線の外側）まで回動可能となる。これにより、商品Ｍの包装に綻びや膨らみがあっても、第二姿勢の振分アーム３に衝突した商品Ｍは、先端部分３０２に接触することなく、スムーズに移動方向が（搬送方向Ｔから排出方向Ｅに）切り替わり、搬送路Ｒから排除される。その結果、先端部分３０２等に商品Ｍが引っ掛かり、排出途中でジャミング（詰まり）が生じることを防止することができる。
【００４０】
なお、図２では、ガイドプレート３１のガイド面３１０がガイド板４２のガード壁より若干内側に張り出した状態で示しているが、これは商品Ｍの左右方向の幅に応じて適宜に調整可能である。そのため、ガイドプレート３１を振分アーム３へ取り付ける（調整可能な遊びのあるボルト穴である）馬鹿孔３６が、長円形に形成されており、取付時のガイドプレート３１を左右方向（搬送方向Ｔと直行する水平方向）にスライドすることによって、左右のガイドプレート３１の幅が変更可能に構成されている。また、ガイドプレート３１は、搬送させる商品Ｍの大きさ（左右方向の幅等）に対応させて、大きさ（左右方向の幅や搬送方向Ｔの長さ）や形状が異なる適切なものと交換可能に構成されている。
【００４１】
また、振分アーム３は、正常な商品Ｍを排出せずに搬送方向Ｒへ搬送させるとともに、印刷またはラベルの不良ではない不良を含む異物の混入ではない不良が生じた商品Ｍを第一方向に排出し、異物が混入した商品Ｍを第一方向とは逆側の第二方向に排出するように構成されている。
【００４２】
具体的には、振分装置１の上流側に配置される装置として、たとえば商品Ｍが適正な重量範囲内であるか否かを検査する重量チェッカー（計量コンベア）、商品Ｍに貼付されたラベルの表示内容が、実際の商品名と一致しているか否かをカメラ撮像等で捉えて検査する画像検査装置、内容物に異物が含まれているか否かを検査するＸ線検査装置や金属検出器等が配置されている。実際には、これらの検査装置は、ユーザの要望によって振り分け装置１の上流の搬送ライン（コンベア）に適宜に組み込まれる。このような上流側検査装置から発せられる振分指令（信号）と、図示しない光電センサから発せられる振分対象となった商品Ｍがベルトコンベア２に到達するタイミング信号とを受け取ると、図示しない振り分け装置１の（制御を行う）コントローラは、指定された側の振分アーム３を駆動制御して商品を搬送路Ｒから排除する。
【００４３】
ここで、たとえば、図４のように、右側の振分アーム３が回動して第二姿勢をとるとともに、左側の振分アーム３が第一姿勢をとり、商品Ｍを右側に振り分ける。また、図示は省略したが、左側の振分アーム３が回動して第二姿勢をとるとともに、右側の振分アーム３が第一姿勢をとり、商品Ｍを左側に振り分けるようになっている。いずれの方向にどのような不良の商品Ｍを振り分けるかは適宜設定可能に構成されて水る。たとえば、右側（第二方向）には、（金属検出またはＸ線検査により）異物を含む不良が検知された商品Ｍが振り分けられる。このとき、異物を含む商品Ｍは、消費者の下に流されないように特に注意を要するため、鍵付の回収箱に振り分けられ、容易に取り出せないようにしてもよい。また、左側（第一方向）には、異物混入以外の不良（たとえば、画像検査によるラベルまたは印字の内容誤りを含む不良や、重量検査による欠品、重量不足、近赤外検査による噛み込み）が検知された商品Ｍが振り分けられる。
【００４４】
また、振分装置１は、搬送路に沿って配置され、商品Ｍが転倒しないように接して支える複数のガイド板４（４１，４２）を備えている。ガイド板４は、第二姿勢をとる際に振分アーム３が侵入する領域に切り欠き部が設けられている。
【００４５】
また、ガイド板４（４１，４２）の各々が形成する転倒防止面４００と、振り分けアームが形成するガイド面３１０とは、搬送方向に向いた略同一線上に配置されている。
【００４６】
具体的には、左右（一対）のガイド板４は、図２、図４に示すように、上流側のガイド板４１と、下流側のガイド板４２とを含み、搬送路Ｒ上に離間して配置されている。ベルトコンベア２の駆動により、商品Ｍは、ガイド４１からガイド４２の方向（搬送方向Ｔ）に搬送される。このとき、商品Ｍが通過する搬送路Ｒの幅は、左右（一対）のガイド板４の有する転倒防止面４００により規制されている。搬送路Ｒの幅が、商品Ｍが転倒を防止可能で、かつ、商品Ｍの摩擦による引っ掛かりや印字部分のすれが生じない程度となるように調整されている。
【００４７】
上流側のガイド板４１と、下流側のガイド板４２とは、搬送路Ｒ上に離間して配置されているため、一対の転倒防止面４００が搬送方向Ｔに向かって途切れる領域が存在する。しかしながら、この途切れた領域には、一対の振分アーム３の（ガイドプレート３１が形成する）ガイド面３１０が、第一姿勢において略同じ幅で配置される。そのため、搬送される商品Ｍは、ガイド板４１からガイド板４２に（振り分け装置の上流から下流に）至るまで、搬送方向Ｔに沿って連続的にガイドされる。
【００４８】
また、左右の支持アーム４３は、ボックス５１から立ち上がる床から延びる支持脚フレーム５２に取り付けられ、ノブ付ボルト４４で固定されている。ノブ付ボルト４４を手で回して支持アーム４３を左右方向にスライドさせれば、左右のガイド板４１、４２の間隔が調整できるようになっている。
【００４９】
［本実施形態の効果］
本実施形態では、以下のような効果を得ることができる。
【００５０】
本実施形態では、上記のように、振分アーム３を、第一姿勢において商品Ｍと当接することで商品Ｍを搬送方向Ｔに案内するガイド面３１０と、第二姿勢において商品Ｍと当接することで商品Ｍを搬送路Ｒから排除する方向に振り分ける振分面３００とを含むように構成する。これにより、第一姿勢をとる振分アーム３のガイド面３１０が搬送される商品Ｍと接しながら商品Ｍを支えて搬送方向Ｔに搬送するので、転倒しやすい軽い商品Ｍであっても、転倒させることなく下流側（ガイド板４１からガイド板４２に至る方向）へ搬送することができる。すなわち、第一姿勢をとる場合、振分アーム３は、商品Ｍの転倒を防止するガイドの役割を担う。また、第二姿勢をとる場合、振分アーム３は、商品Ｍを搬送路から適切に排除することができる。その結果、搬送時には転倒しやすい商品Ｍを転倒させずに搬送し、振分時には商品Ｍを適切に振り分けることができる。また、転倒による商品Ｍの損傷や、転倒時の振動に起因した振動が（別途設置された）計量コンベアに伝搬して計量精度を悪化させることを防止することができる。また、振分アーム３の第一姿勢は商品Ｍの搬送路Ｒ（すなわち、搬送方向Ｔ）に沿って配置されているこれにより、商品Ｍを搬送方向Ｔに連続的に案内することができるとともに、商品Ｍの搬送方向Ｔとガイド面の案内する方向との不一致が生じず、搬送路Ｒから移動方向と異なる向きの力を受けた商品Ｍが転倒する（修正不可能な傾きを生じる）ことを防止することができる。
【００５１】
また、上記の構成によれば、振分装置１を含む上流および下流に繋がる搬送システム全体の搬送方向の長さを変えずに、既設の振分ラインに組み込むことが容易にできる。
【００５２】
また、本実施形態では、上記のように、ガイド面３１０の搬送面（搬送路Ｒの面）に直行する方向の幅を、振分面３００の搬送面（搬送路Ｒの面）に直行する方向の幅よりも狭く構成する。これにより、商品Ｍを支えて搬送する場合に（第一姿勢において）、商品Ｍに接触するガイド面３１０の面積が比較的小さくなるので、商品Ｍとの摩擦による滞りや、商品Ｍとの接触に起因し印字等に生じるすれを低減することができる。また、商品Ｍを振り分ける場合に（第二姿勢において）、商品Ｍに接触する振分面３００の面積が比較的大きくなるので、商品Ｍに転倒が生じて振分面３００と接触する部分の大きさが小さく（低く）なったとしても、十分に商品Ｍを捉えて排除することができる。
【００５３】
また、本実施形態では、上記のように、振分アーム３を、少なくとも第二姿勢においてガイド面３１０を形成するガイドプレート３１と、ガイドプレート３１が取り付けられる支持部材３０とを含むように構成する。これにより、搬送方向Ｔに直行する方向（搬送面に垂直な方向）において、振分面３００の幅よりも小さい幅のガイド面３１０を、ガイドプレート３１により容易に形成することができる。その結果、商品Ｍの大きさ（搬送面からの高さ）に合わせて適切な形状および大きさ（搬送面に垂直な方向の幅、および、支持部材３０から搬送される商品Ｍの側面に至るまで延ばされた長さ）のガイドプレート３１を取り付けることにより、商品Ｍの転倒を防止ことができる。
【００５４】
また、従来型のガイド面を有していない（振分面のみを有する支持部材に相当する）振分アームに搬送路側に張り出したガイドプレートを取り付けることにより、転倒しやすい商品を転倒させずに搬送可能な振分装置を構成することができる。すなわち、ガイドプレートを取り付けることで、既設の振分装置に対応することができる。
【００５５】
また、本実施形態では、上記のように、振分アーム３を、搬送路Ｒの両側に、各々対となるように少なくとも１つずつ配置されるとともに、対となる一方の振分アーム３が第一姿勢をとり、他方の振分アーム３が第二姿勢をとることにより、商品Ｍを搬送路から排除し、対となる振り分けアーム３の各々は、商品Ｍを排除する際に少なくとも一部が上下（搬送面に垂直な方向）に交差して重なるように構成する。このように構成すれば、第二姿勢をとる搬送面に直行する方向に延びる振分面３００の先端部分３０２（回動の支点と反対側の端部）を、第一姿勢をとる一方の振分アーム３の水平部分方向に延びるガイドプレート３１の端部に、すなわち商品Ｍと接してそれを搬送方向Ｔに案内するガイド面３１０に可及的に近接させることができる。これにより、対となる近接した２つの振分アーム３の間に生じる隙間を小さく（ゼロに）することができるので、搬送される商品Ｍを、第一姿勢の（一方の）振分アーム３から第二姿勢の（他方の）振分アーム３にスムーズに引き継がせて排出することができる。その結果、商品Ｍに包装の綻び（めくれ等）やラベルの貼付ミス（糊面の露出等）等があっても振り分けアーム３との引っ掛かりが生じにくくなるので、搬送されてきた商品Ｍを停滞させずに振り分ける（排出する）ことができる。
【００５６】
また、本実施形態では、上記のように、振分アーム３を、少なくとも第一姿勢においてガイド面３１０を形成する一対のガイドプレート３１と、ガイドプレート３１が取り付けられるとともに振分面３００を形成する一対の支持部材３０とを含み、一対の支持部材３０を、搬送路Ｒに対して高さが略等しく、搬送路Ｒの面（搬送面）と対向する取付面３０１を各々有し、一対のガイドプレート３１は、異なる高さで支持部材３０に取り付けられており、支持部材３０から搬送路Ｒの側に張り出すように、かつ、対となる一方が取付面３０１の上面に、他方が取付面３０１の下面に取り付けられるように構成する。これにより、一対のガイドプレート３１の取付を一対の支持部材３０が各々有する取付面３０１のそれぞれ上面と下面とに行うことにより、一対のガイドプレート３１の各々の位置（高さ）を取付面３０１の上側と下側とで容易に異ならせることができる。その結果、ガイドプレート３１（振分アーム３）を、商品Ｍを排除する際に少なくとも一部が上下に交差して重なるように構成することが容易にできる。ガイドプレート３１の形成するガイド面３１０の高さが取付面３０１の有する厚み分程度しか異ならないため、ガイド面３１０が商品Ｍとそれぞれ当接（ガイド）する位置（高さ）が略同一になる。そのため、当接する位置の違いに起因して搬送方向Ｔを軸として回転する方向に商品Ｍが転倒する（または、傾く）ことを抑制することができる。
【００５７】
また、本実施形態では、上記のように、振分アーム３を、正常な商品Ｍを排出せずに搬送させるとともに、搬送方向Ｔから見て左右の面において印刷またはラベルの不良がある商品Ｍを第一方向に排出し、印刷またはラベルの不良ではない不良が生じた商品Ｍの少なくとも一部を第一方向とは逆側の第二方向に排出するように構成する。これにより、商品Ｍの中身（内容物）そのものには問題のない印刷またはラベルの不良がある商品と、印刷またはラベルの不良ではない不良が生じた商品Ｍとを別方向に振り分けて管理することができる。なお、本実施形態による振分装置１では、（第一姿勢において）商品Ｍを倒さずに搬送することができるので、立位の状態で側面部分に対して画像撮像による検査等を受けた不良のない商品Ｍを立位の状態のまま搬送する場合、特に好適である。
【００５８】
また、本実施形態では、上記のように、振分アーム３を、正常な商品Ｍを排出せずに搬送させるとともに、異物の混入ではない不良が生じた商品Ｍを第一方向に排出し、異物が混入した商品Ｍを第一方向とは逆側の第二方向に排出するように構成する。これにより、消費者に誤って配送されることを特に防止する必要がある異物が混入した商品Ｍと、異物の混入ではない不良が生じた商品Ｍとを別方向に振り分けて管理することができる。
【００５９】
また、本実施形態では、上記のように、振分装置１を、搬送路Ｒに沿って配置され、商品Ｍが転倒しないように接して支える複数のガイド板４（４１，４２）をさらに備え、ガイド板４に、第二姿勢をとる際に振分アーム３が侵入する領域に切り欠き部４５（図３参照）を設ける。これにより、商品Ｍを搬送路Ｒに沿って搬送する（振分アーム３が第一姿勢をとる）場合、搬送路Ｒに配置されたガイド板４と、第一姿勢の振分アーム３とにより、商品Ｍの転倒を防止するガード（商品と接しながら支える壁となる部分）を搬送方向Ｔに沿って連続的に設けることができる。その結果、転倒しやすい商品Ｍであっても転倒させることなく下流側へ搬送することができる。また、商品Ｍを搬送路Ｒから振り分け排除する（振分アーム３が第二姿勢をとる）場合、搬送時には転倒を防止していた振分アーム３が、ガイド板４（４１，４２）の切り欠き部４５に侵入し、搬送路Ｒの側面のガードを開放するとともに、振分アーム３の振分面３００によりガード壁の無くなった搬送路Ｒから商品Ｍを排除することができる。また、切り欠き部４５の（搬送面Ｒに直交する）上下部分により当接して商品Ｍを搬送方向Ｔに案内することができるので、上方もしくは下方のみで商品Ｍを案内する場合と比較して、振分アーム３を通過する際に傾きが生じた商品Ｍを立たせ（正しく起立させ）直すことができる。
【００６０】
また、本実施形態では、上記のように、ガイド板４（４１，４２）の各々が形成する転倒防止面４００と、振り分けアーム３が形成するガイド面３１０とを、搬送方向に向いた略同一線上に配置する。これにより、ガイド面３１０と転倒防止面４００とに商品Ｍがまたがる際（接する対象が移り変わる際）に、商品Ｍに引っ掛かり搬送を滞らせる突出部分や、商品Ｍの転倒の原因となる隙間（搬送路の幅の方向の空間）の増加が不必要に生じることを抑制することができる。その結果、搬送される商品Ｍに厚さの変化や包装フイルムの綻び、膨らみ、貼付されたラベルの部分的な飛び出し等がある場合でも、商品Ｍを下流側へスムーズに搬送することができる。
【００６１】
［変形例］
以上、本発明の一実施形態について説明したが、本発明は、これに限定されるものではなく、請求項に記載の範囲内で種々の変更も可能である。
【００６２】
たとえば、上記実施形態では、左右の振分アーム３（支持部材３０）の取り付け位置は、固定されている（変更可能に構成されていない）が、本発明はこれに限られない。本発明では、左右の振分アーム３（支持部材３０）の取り付け位置を、ガイド板４１、４２と同様に、その取り付け位置を左右方向にスライド可能に構成してもよい。この場合、たとえば、異なる大きさのガイドプレートを多種類用意することなく異なる大きさの商品Ｍに対応することができるようになるので、さらに汎用性の高い振分装置１とすることができる。
【００６３】
また、上記実施形態では、振分アーム３が、支持部材３０とガイドプレート３１とを含む例を示したが、本発明はこれに限られない。本発明では、振分アームを１つの部材で構成してもよい。たとえば、横断面形状がＬ字状となる部材を、天地を逆にして振分アームを構成し、その水平部分を搬送路側に向けることにより、その水平部分の先端縁が幅の狭い線状のガイド面となるようにしてもよい。この場合、Ｌ字状の部材の鉛直部分は、第二姿勢において商品を搬送路から排除するガイド面に対応する。その他、振分アームの横断面形状を、Ｌ字状の部材を天地を逆にした形状に限らず、たとえば、横断面形状が四角形のブロック体により支持部材を形成し、その上面（または、ブロック体いずれかの位置）から搬送路側に張り出す（突出する）ようにガイドプレートを取り付けてもよい。この場合にも、一対の（左右の）ガイドプレートの各々は、一部が上下に交差して重なるように取り付けられる。この場合でも、第二姿勢をとるガイドプレートと、第一姿勢をとるガイドプレートとが上下に交差し、干渉が生じないため、第二姿勢をとる振分アームの先端部分を、第一姿勢をとる振分アームの搬送路側に可及的に近接させることができる。
【００６４】
また、上記実施形態では、振分アーム３は、商品Ｍの搬送路Ｒを挟む両側に一対配置される例を示したが、本発明はこれに限られない。本発明では、振分アーム３は、搬送路Ｒの片側だけに配置されてもよいし、二対以上を搬送方向Ｔに沿って向かい合わせで並べて（すなわち、三方向以上に振り分け可能となるように）配置してもよい。
【符号の説明】
【００６５】
１    振分装置
３    振り分けアーム
４    ガイド板
３０    支持部材
３１    ガイドプレート
４１    上流側ガイド板
４２    下流側ガイド板（振分アームと干渉するガイド板）
４５    切り欠き部
３００    振分面
３０１    取付面
３１０    ガイド面
Ｍ    商品
Ｒ    搬送路
Ｔ    搬送方向
【図１】
2019137478.tif 000003
【図２】
2019137478.tif 000004
【図３】
2019137478.tif 000005
【図４】
2019137478.tif 000006